(57)【要約】【課題】部品点数を削減することができる電子機器、電子機器を収容する保護ケース、及び、電子機器収納方法を提供すること。【解決手段】電子辞書１０は、一方にＬＣＤ表示部２２を有し、他方にキーボード４２を有する第１ケース２０および第２ケース４０と、第１ケース２０に設けられた永久磁石２３と、第１ケース２０に設けられ、第１ケース２０と第２ケース４０との閉状態を検出するＭＲ素子２４と、第２ケース４０に設けられ、第１ケース２０と第２ケース４０との閉状態において、一端側４４ａが永久磁石２３の近傍に位置すると共に、他端側４４ｂがＭＲ素子２４の近傍に位置する磁性部品４４とを備える。【選択図】図２
2020030784.tif 000002
【特許請求の範囲】
【請求項１】
一方に表示部を有し、他方に入力部を有する第１ケースおよび第２ケースと、
前記第１ケースに設けられた磁石部と、
前記第１ケースに設けられ、前記第１ケースと前記第２ケースとの閉状態を検出する磁気抵抗素子と、
前記第２ケースに設けられ、前記第１ケースと前記第２ケースとの閉状態において、一端側が前記磁石部の近傍に位置すると共に、他端側が前記磁気抵抗素子の近傍に位置する磁性体とを備える、
電子機器。
【請求項２】
前記磁石部と前記磁気抵抗素子とは、前記第１ケースと前記第２ケースとの閉状態とは異なる状態において、前記磁気抵抗素子による前記閉状態の誤検出が行われない距離に離間配置されている、
請求項１に記載の電子機器。
【請求項３】
表示部、磁石部及び磁気抵抗素子を有する電子機器を着脱自在に保持するケースと、
前記ケースに前記電子機器が保持された状態で前記表示部を覆うカバー部材と、
前記カバー部材に設けられ、前記ケースと前記カバー部材の閉状態において、一端側が前記磁石部の近傍に位置すると共に、他端側が前記磁気抵抗素子の近傍に位置する磁性体とを備える、
保護ケース。
【請求項４】
保持部を有するケースと、
前記ケースと開閉可能に連結されたカバー部材と、
前記カバー部材に設けられ、前記ケースと前記カバー部材の閉状態において、一端側において外部からの磁力線を入力して、他端側から磁力線を放出し、前記ケースと前記カバー部材の開状態において、一端側において外部からの磁力線を受けない磁性体とを備える、
保護ケース。
【請求項５】
表示部を有する電子機器を保持する第１の開閉部材と、前記第１の開閉部材に対して開閉自在に形成され、前記電子機器の表示部を覆うカバーを有する第２の開閉部材との非使用状態を検出可能な収納方法において、
前記第１の開閉部材側に設けられた磁石部を前記第２の開閉部材に設けられた磁性体の一端側に近づけることで、前記磁石部からの磁力によって前記磁性体を磁化し、
前記磁性体の他端側に近づいた前記第１の開閉部材側に設けられた磁気抵抗素子に、前記磁性体の一端側から入力した前記磁石部からの磁力線を作用させて前記第１の開閉部材と前記第２の開閉部材との近接を検出し、
前記磁性体と前記磁石部の一端側との近接により、前記第１の開閉部材と前記第２の開閉部材との磁力固定を行う、
電子機器収納方法。
【請求項６】
前記磁石部と前記磁気抵抗素子とは、前記第１の開閉部材と前記第２の開閉部材との閉状態とは異なる状態において、前記磁気抵抗素子による前記閉状態の誤検出が行われない距離に離間配置されている、
請求項５に記載の電子機器収納方法。
【発明の詳細な説明】
【技術分野】
【０００１】
本発明は、電子機器、保護ケース、及び、電子機器収納方法に関する。
【背景技術】
【０００２】
液晶画面を搭載した電子辞書やタブレット型端末等の携帯型の電子機器が知られている。このような電子機器の液晶画面を非使用時（収納時や運搬時）の際に保護するために様々な保護方法が採られている。折り畳み式の電子機器の場合には、液晶画面をキーボード側へ閉じることで保護状態となる（例えば、特許文献１参照。）。また、タブレット型の電子機器の場合は別体の折り畳み式の保護ケースの片面に液晶画面を内側にして電子機器本体を固定し、これにカバーを閉じることで保護状態となる。
【０００３】
このような電子機器は、キーボードやカバーが閉じられた場合に液晶画面を消灯し、例えばＣＰＵの動作を抑制させる等、節電モードに移行する機能を備えている。キーボードやカバーが閉じられた状態を検知するため液晶画面側にＭＲ素子（磁気抵抗）、キーボードやカバー側に永久磁石を配置し、閉じた際に永久磁石とＭＲ素子が近づき、磁気抵抗が変化する性質を利用して、閉じた状態を検知するようにしていた。キーボードやカバーを開く場合はその逆の動作を行う。
【０００４】
一方、電子機器の不使用時はキーボードやカバーが不用意に開かないようにするため、液晶画面側に永久磁石、キーボードやカバー側に磁性体が配置され、磁力によって閉じた状態を維持することが一般的であった。
【先行技術文献】
【特許文献】
【０００５】
【特許文献１】特開平６−３３８８３７号公報
【発明の概要】
【発明が解決しようとする課題】
【０００６】
上述した電子機器では、キーボード又はカバーの開閉をＭＲ素子で検出する機能と磁力によってキーボード又はカバーの固定をする機能を同時に用いようとすると、それぞれに永久磁石が必要となり、部品点数が多くなる。このため、部品コストが高くなると共に、固定用の永久磁石の磁力がＭＲ素子に検出され、正しい動作ができない虞があった。
【０００７】
本発明は、部品点数を削減することができる電子機器、保護ケース、及び、電子機器収納方法を得ることを目的とする。
【課題を解決するための手段】
【０００８】
本発明の一態様として、電子機器は、一方に表示部を有し、他方に入力部を有する第１ケースおよび第２ケースと、前記第１ケースに設けられた磁石部と、前記第１ケースに設けられ、前記第１ケースと前記第２ケースとの閉状態を検出する磁気抵抗素子と、前記第２ケースに設けられ、前記第１ケースと前記第２ケースとの閉状態において、一端側が前記磁石部の近傍に位置すると共に、他端側が前記磁気抵抗素子の近傍に位置する磁性体とを備える。
【０００９】
本発明の一態様として、保護ケースは、表示部、磁石部及び磁気抵抗素子を有する電子機器を着脱自在に保持するケースと、前記ケースに前記電子機器が保持された状態で前記表示部を覆うカバー部材と、前記カバー部材に設けられ、前記ケースと前記カバー部材の閉状態において、一端側が前記磁石部の近傍に位置すると共に、他端側が前記磁気抵抗素子の近傍に位置する磁性体とを備える。
【００１０】
本発明の一態様として、保護ケースは、保持部を有するケースと、前記ケースと開閉可能に連結されたカバー部材と、前記カバー部材に設けられ、前記ケースと前記カバー部材の閉状態において、一端側において外部からの磁力線を入力して、他端側から磁力線を放出し、前記ケースと前記カバー部材の開状態において、一端側において外部からの磁力線を受けない磁性体とを備える。
【００１１】
本発明の一態様として、電子機器収納方法は、表示部を有する電子機器を保持する第１の開閉部材と、前記第１の開閉部材に対して開閉自在に形成され、前記電子機器の表示部を覆うカバーを有する第２の開閉部材との非使用状態を検出可能な収納方法において、前記第１の開閉部材側に設けられた磁石部を前記第２の開閉部材に設けられた磁性体の一端側に近づけることで、前記磁石部からの磁力によって前記磁性体を磁化し、前記磁性体の他端側に近づいた前記第１の開閉部材側に設けられた磁気抵抗素子に、前記磁性体の一端側から入力した前記磁石部からの磁力線を作用させて前記第１の開閉部材と前記第２の開閉部材との近接を検出し、前記磁性体と前記磁石部の一端側との近接により、前記第１の開閉部材と前記第２の開閉部材との磁力固定を行う。
【図面の簡単な説明】
【００１２】
【図１】本発明の第１の実施の形態に係る電子辞書における開状態を示す斜視図。
【図２】同電子辞書における開状態を模式的に示す平面図。
【図３】同電子辞書における開状態を模式的に示す側面図。
【図４】同電子辞書における閉状態を模式的に示す平面図。
【図５】同電子辞書における閉状態を模式的に示す側面図。
【図６】本発明の第２の実施の形態に係る電子機器用保護ケースの開状態を示す斜視図。
【図７】同電子機器用保護ケースの開状態を示す側面図。
【図８】同電子機器用保護ケースにタブレット端末を搭載し、開状態を示す斜視図。
【図９】同電子機器用保護ケースにタブレット端末を搭載し、閉状態を示す斜視図。
【図１０】同電子機器用保護ケースにタブレット端末を搭載し、閉状態を示す側面図。
【発明を実施するための形態】
【００１３】
[第１の実施の形態]
図１〜図５は本発明の第１の実施の形態に係る電子辞書（電子機器）１０についての説明図である。図１は電子辞書１０における開状態を示す斜視図、図２は電子辞書１０における開状態を模式的に示す平面図である。図３は電子辞書１０における開状態を模式的に示す側面図、図４は電子辞書１０における閉状態を模式的に示す平面図、図５は電子辞書１０における閉状態を模式的に示す側面図である。
【００１４】
図１に示すように、電子辞書１０は、折り畳み式の第１ケース（第１の開閉部材）２０及び第２ケース（第２の開閉部材）４０と、これらを開閉自在に連結するヒンジ機構６０を備えている。電子辞書１０は、通常は後述するキーボード４２を有する第２ケース４０を机上に載置し、後述するＬＣＤ表示部２２を有する第１ケース２０を第２ケース４０に対して９０度以上に開いて用いる。
【００１５】
第１ケース２０は、薄型の、肉厚方向から見て略長方形状のケース本体２１を備えている。ケース本体２１にはＬＣＤ表示部２２が設けられている。また、ＬＣＤ表示部２２の裏側にあたる位置に、永久磁石２３及びＭＲ素子（磁気抵抗素子）２４が取り付けられている。実施の形態１では、永久磁石２３とＭＲ素子２４とは互いに離間して配置されている。ＭＲ素子２４は後述する回路基板４３に接続されている。なお、永久磁石２３やＭＲ素子２４は、ケース本体２１の表側の面に露出して設けられていてもよい。
【００１６】
第２ケース４０は、薄型の、肉厚方向から見て略長方形状のケース本体４１を備えている。ケース本体４１にはキーボード（入力部）４２が設けられている。また、ケース本体４１内部には、電子辞書として機能させるための回路基板４３及び磁性部品（磁性体）４４が取り付けられている（図２参照）。なお、磁性部品４４は、例えば後述の一端側４４ａや他端側４４ｂ等、少なくともその一部がケース本体４１の表面に露出していてもよい。
【００１７】
磁性部品４４は、軟磁性材料から形成されたものであり、第１の実施の形態では、例えば、ステンレス鋼或いは低炭素鋼等の比較的安価な磁性体で形成されている。実施の形態１では、磁性部品４４は、例えば、肉厚方向から見た形状が長方形状とされた板状体に形成されている。第１の実施の形態では、磁性部品４４は、例えば、その長手方向がヒンジ機構６０の長手方向（軸方向）と交差する方向、より具体的には、ヒンジ機構６０の長手方向と直交する方向となるように、ケース本体４１の内部に配置されており、磁性部品４４の一端側４４ａが第２ケース４０の手前側、磁性部品４４の他端側４４ｂが第２ケース４０の奥手側（ヒンジ機構６０側）に配置されている。
【００１８】
図４及び図５に示すように、永久磁石２３及びＭＲ素子２４と、磁性部品４４との位置関係が規定されている。すなわち、第１ケース２０と第２ケース４０を閉じた際（電子辞書１０を閉じた際）に、永久磁石２３は磁性部品４４の一端側４４ａの近傍、ＭＲ素子２４は磁性部品４４の他端側４４ｂの近傍に位置する。なお、第１ケース２０と第２ケース４０を閉じた際における永久磁石２３と磁性部品４４の一端側４４ａとの距離は、第１ケース２０と第２ケース４０とが不用意に開かない程度の磁力で固定できる寸法に設定されている。この場合の永久磁石２３と磁性部品４４の一端側４４ａとの距離（寸法）は、小さければ小さいほど好ましく、０ｍｍが最も好ましい。また、ＭＲ素子２４と磁性部品４４の他端側４４ｂとの距離は、磁性部品４４の他端側４４ｂからの磁力線（すなわち、磁場）がＭＲ素子２４によって検出されて第１ケース２０と第２ケース４０とが閉じた状態であることを検出できる寸法に設定されている。この場合のＭＲ素子２４と磁性部品４４の他端側４４ｂとの距離（寸法）は、その値が小さければ小さいほど好ましい。なお、第１の実施の形態では、図２に示すように、紙面上下方向において、永久磁石２３の寸法と、ＭＲ素子２４の寸法と、磁性部品４４の寸法とが同程度とされているが、図４では、永久磁石２３およびＭＲ素子２４と、磁性部品４４との位置関係を把握し易くするため、紙面上下方向において、永久磁石２３およびＭＲ素子２４の寸法を、磁性部品４４の寸法よりも幾分大きく示している。
【００１９】
このように構成された電子辞書１０は、次のようにして使用状態から収納状態に移行する。すなわち、使用者は、図１に示すような状態の電子辞書１０の使用を終了すると、第１ケース２０と第２ケース４０とをヒンジ機構６０の回転軸周りに互いに近づく方向（電子辞書１０を閉じる方向）に回動させて、電子辞書１０を閉じる。このとき、永久磁石２３と磁性部品４４の一端側４４ａとの距離が近づくに伴い、永久磁石２３から磁性部品４４に作用する磁力が増大し、これにより、永久磁石２３が磁性部品４４を引き付ける力である吸引力が増大する。吸引力は電子辞書１０が閉じた状態で最大となり、この最大の吸引力により、電子辞書１０の閉じた状態が維持される。なお、最大の吸引力は、使用者の手の力によって容易に解除できる程度であるが、自重で不用意に解除できる程度ではない。したがって、電子辞書１０が一旦閉じられると、最大の吸引力に抗う力が電子辞書１０に加えられない限り、第１ケース２０と第２ケース４０とを閉じた状態に確実に維持できる。
【００２０】
一方、使用者が電子辞書１０を閉じる方向に回動させ、第１ケース２０と第２ケース４０とが完全に閉じる寸前になると、永久磁石２３からの磁力は、磁性部品４４の一端側４４ａに主に作用する。すると、磁性部品４４は、一端側４４ａ付近から他端側４４ｂに亘って磁化される。つまり、磁性部品４４全体が磁化される。このとき、永久磁石２３からの磁力線の大部分は、磁性部品４４の一端側４４ａ付近から磁性部品４４の内部に入力し、磁性部品４４の中間部を通って磁性部品４４の他端側４４ｂから出力（放出）される。すなわち、第１ケース２０と第２ケース４０とが完全に閉じる寸前になると、磁性部品４４の他端側４４ｂから出力される磁力線は、増加する。この磁力線の増加をＭＲ素子２４が抵抗変化として検出し、第１ケース２０と第２ケース４０とが閉じる状態であることが検知される。この検知により、回路基板４３において、電源をＯＦＦあるいは節電モードに移行する。なお、第１ケース２０と第２ケース４０が開く状態（電子辞書１０を開く状態）においては、ＭＲ素子２４が磁性部品４４の他端側４４ｂから出力される磁力線の減少を抵抗変化として検出することで、電源をＯＮあるいは通常モードに移行する。
【００２１】
このように構成された電子辞書１０によれば、永久磁石２３に起因する磁力および磁力線を用いて、第１ケース２０と第２ケース４０とが閉じた状態を維持させるための吸引力を発生させると共に、ＭＲ素子２４に作用する磁力線を増加させて第１ケース２０と第２ケース４０とが閉じた状態をＭＲ素子２４に検知させることができる。すなわち、電子辞書１０によれば、１個の永久磁石２３に、吸引力を発生させるための部材としての機能と、電子辞書１０の開閉状態を検知する手段を構成する部材としての機能との双方を併せ持たせることができる。したがって、電子辞書１０の部品点数を削減することができる。またこのため、部品コストの低減、製造工数の低減、及び、装置全体の構成の簡素化を図ることができる。
【００２２】
ところで、例えば、永久磁石を磁力固定用と開閉検出用との用途ごとに別個に用意してそれぞれ配置した場合には、ＭＲ素子が磁力固定用の永久磁石からの磁力線を検出して誤動作を引き起こしてしまう虞がある。この点、第１の実施の形態の電子辞書１０によれば、電子辞書１０が閉じた状態の場合に、ＭＲ素子２４が近傍に位置することになる磁性部品４４の他端側４４ｂ付近ではなく、その反対側である一端側４４ａ付近に永久磁石２３が位置する構成であるため、上記のような誤動作を引き起こしてしまうことを防止できる。
【００２３】
なお、永久磁石２３とＭＲ素子２４の相対位置は、上述した箇所に限られないが、永久磁石２３の磁力線がＭＲ素子２４によって直接検出されることを避けられる距離にすることが好ましい。また、永久磁石２３による吸引力を磁力固定用に最大限利用するためには、永久磁石２３をヒンジ機構６０からできるだけ遠い位置とすることが好ましい。これは、例えば、電子辞書１０が閉じた状態で、使用者が第１ケース２０のヒンジ機構６０から最も遠い部位（図１における第１ケース２０の上端部分に相当）と、第２ケース４０のヒンジ機構６０から最も遠い部位（図１における第２ケース４０の手前側部分に相当）とを把持して上記最大の吸引力に抗いながら電子辞書１０を開く場合（以下、使用者が電子辞書１０を開き始めるときに上記最大の吸引力に抗いながら生じさせる力を「吸引抗力」と称する。）を想定し、ヒンジ機構６０の回転軸を中心とした吸引抗力のモーメントの大きさと、ヒンジ機構６０の回転軸を中心とした上記最大の吸引力のモーメントの大きさとの差分を考慮することで導き出せるものである。
【００２４】
[第２の実施の形態]
図６〜図１０は本発明の第２の実施の形態に係る電子機器用保護ケース１００及びこの電子機器用保護ケース１００に収容されるタブレット端末２００についての説明図である。図６は電子機器用保護ケース１００の開状態を示す斜視図、図７は電子機器用保護ケースの開状態を示す側面図、図８は電子機器用保護ケース１００にタブレット端末２００を搭載し、開状態を示す斜視図、図９は電子機器用保護ケース１００にタブレット端末２００を搭載し、閉状態を示す斜視図、図１０は電子機器用保護ケース１００にタブレット端末２００を搭載し、閉状態を示す側面図である。
【００２５】
電子機器用保護ケース１００は、タブレット端末（電子機器）２００を保護する機能を有している。タブレット端末２００を着脱自在に保持するケース１２０と、ケース１２０にタブレット端末２００が保持された状態でタブレット端末２００の表示部を覆うカバー部材１４０と、ケース１２０とカバー部材１４０とを開閉可能に連結するヒンジ機構１６０を備えている。タブレット端末２００は、通常はケース１２０に装着し、例えば、ケース１２０側を机上に載置し、カバー部材１４０をケース１２０に対して９０度以上（例えば１８０度程度）に開いて用いる。
【００２６】
ケース１２０は、肉厚方向から見て略長方形状に形成された板状のケース本体１２１と、タブレット端末２００の外周部を保持する係合部１２２とを備えている。第２の実施の形態では、係合部１２２は、ケース本体１２１と一体に形成されており、ケース本体１２１の縁部付近から肉厚方向の一方側（電子機器用保護ケース１００を閉じた状態で、電子機器用保護ケース１００の内側）に向かってタブレット端末２００の外周部を覆うことができる程度に延出している。なお、ケース本体１２１と係合部１２２とは、互いに嵌合させることで一体とされたものであってもよい。
【００２７】
タブレット端末２００は、肉厚方向から見て略長方形状に形成されたハウジング２０１を備えている。ハウジング２０１は、その肉厚方向の一方側にＬＣＤ表示部２０２が設けられている。また、ＬＣＤ表示部２０２の裏側にあたる位置に、永久磁石２０３及びＭＲ素子（磁気抵抗素子）２０４が取り付けられている。実施の形態２では、永久磁石２０３とＭＲ素子２０４とは互いに離間して配置されている。また、ハウジング２０１内には、タブレット端末２００を電子機器として機能させるための回路基板２０５が設けられており、ＭＲ素子２０４が接続されている。なお、永久磁石２０３やＭＲ素子２０４は、ハウジング２０１の表側の面に露出して設けられていてもよい。
【００２８】
カバー部材１４０は、薄型の、肉厚方向から見て略長方形状に形成された板状のカバー本体１４１を備えている。カバー本体１４１は、ケース１２０とカバー部材１４０の閉状態において、一端側１４４ａが永久磁石２０３近傍に位置すると共に、他端側１４４ｂがＭＲ素子２０４近傍に位置する磁性部品１４４を備える。なお、第２の実施の形態では、磁性部品１４４がカバー部材１４０の内部に取り付けられたものとしているが、磁性部品１４４は、例えば、一端側１４４ａや他端側１４４ｂ等、少なくともその一部がカバー部材１４０のうちタブレット端末２００の表示部を覆う側の面に露出するものとしてもよい。ただし、カバー部材１４０がタブレット端末２００の表示部あるいはその周辺部分を保護する観点から、磁性部品１４４は、カバー部材１４０の内部に取り付けられるのが好ましい。
【００２９】
磁性部品１４４は、軟磁性材料から形成されたものであり、第２の実施の形態では、例えば、ステンレス鋼或いは低炭素鋼等の比較的安価な磁性体で形成されている。実施の形態２では、磁性部品１４４は、例えば、肉厚方向から見た形状が長方形状とされた板状体に形成されている。第２の実施の形態では、磁性部品１４４は、例えば、その長手方向がヒンジ機構１６０の長手方向（軸方向）と交差する方向、より具体的には、ヒンジ機構１６０の長手方向と直交する方向となるように、カバー本体１４１の内部に配置されており、磁性部品１４４の一端側１４４ａがカバー部材１４０の手前側、磁性部品１４４の他端側１４４ｂがカバー部材１４０の奥手側（ヒンジ機構１６０側）に配置されている。
【００３０】
図９及び図１０に示すように、永久磁石２０３及びＭＲ素子２０４と、磁性部品１４４との位置関係が規定されている。すなわち、ケース１２０とカバー部材１４０を閉じた際（電子機器用保護ケース１００を閉じた際）に、永久磁石２０３は磁性部品１４４の一端側１４４ａの近傍、ＭＲ素子２０４は磁性部品１４４の他端側１４４ｂの近傍に位置する。なお、ケース１２０とカバー部材１４０を閉じた際における永久磁石２０３と磁性部品１４４の一端側１４４ａとの距離は、ケース１２０とカバー部材１４０とが不用意に開かない程度の磁力で固定できる寸法に設定されている。この場合の永久磁石２０３と磁性部品１４４の一端側１４４ａとの距離（寸法）は、小さければ小さいほど好ましく、０ｍｍが最も好ましい。また、ＭＲ素子２０４と磁性部品１４４の他端側１４４ｂとの距離は、磁性部品１４４の他端側１４４ｂからの磁力線（すなわち、磁場）がＭＲ素子２０４によって検出されてケース１２０とカバー部材１４０とが閉じた状態であることを検出できる寸法に設定されている。この場合のＭＲ素子２０４と磁性部品１４４の他端側１４４ｂとの距離（寸法）は、その値が小さければ小さいほど好ましい。
【００３１】
このように構成された電子機器用保護ケース１００及びタブレット端末２００は、次のようにして使用状態から収納状態に移行する。すなわち、使用者は、図８に示すような状態のタブレット端末２００の使用を終了すると、ケース１２０とカバー部材１４０とをヒンジ機構１６０の回転軸周りに互いに近づく方向（電子機器用保護ケース１００を閉じる方向）に回動させて、電子機器用保護ケース１００を閉じる。このとき、永久磁石２０３と磁性部品１４４の一端側１４４ａとの距離が近づくに伴い、永久磁石２０３から磁性部品１４４に作用する磁力が増大し、これにより、永久磁石２０３が磁性部品１４４を引き付ける力である吸引力が増大する。吸引力は電子機器用保護ケース１００が閉じた状態で最大となり、この最大の吸引力により、電子機器用保護ケース１００の閉じた状態が維持される。なお、最大の吸引力は、使用者の手の力によって容易に解除できる程度であるが、自重で不用意に解除できる程度ではない。したがって、電子機器用保護ケース１００が一旦閉じられると、最大の吸引力に抗う力が電子機器用保護ケース１００に加えられない限り、ケース１２０とカバー部材１４０とを閉じた状態に確実に維持できる。
【００３２】
一方、使用者が電子機器用保護ケース１００を閉じる方向に回動させ、ケース１２０とカバー部材１４０とが完全に閉じる寸前になると、永久磁石２０３からの磁力は、磁性部品１４４の一端側１４４ａに主に作用する。すると、磁性部品１４４は、一端側１４４ａ付近から他端側１４４ｂに亘って磁化される。つまり、磁性部品１４４全体が磁化される。このとき、永久磁石２０３からの磁力線の大部分は、磁性部品１４４の一端側１４４ａ付近から磁性部品１４４の内部に入力し、磁性部品１４４の中間部を通って磁性部品１４４の他端側１４４ｂから出力（放出）される。すなわち、ケース１２０とカバー部材１４０とが完全に閉じる寸前になると、磁性部品１４４の他端側１４４ｂから出力される磁力線は、増加する。この磁力線の増加をタブレット端末２００内のＭＲ素子２０４が抵抗変化として検出し、ケース１２０とカバー部材１４０とが閉じる状態であることが検知される。この検知により、回路基板２０５において、電源をＯＦＦあるいは節電モードに移行する。なお、ケース１２０とカバー部材１４０が開く状態（電子機器用保護ケース１００を開く状態）においては、ＭＲ素子２０４が磁性部品１４４の他端側１４４ｂから出力される磁力線の減少を抵抗変化として検出することで、電源をＯＮあるいは通常モードに移行する。
【００３３】
このように構成された電子機器用保護ケース１００及びタブレット端末２００によれば、永久磁石２０３に起因する磁力および磁力線を用いて、ケース１２０とカバー部材１４０とが閉じた状態を維持させるための吸引力を発生させると共に、ＭＲ素子２０４に作用する磁力線を増加させてケース１２０とカバー部材１４０とが閉じた状態をＭＲ素子２０４に検知させることができる。すなわち、電子機器用保護ケース１００によれば、１個の永久磁石２０３に、吸引力を発生させるための部材としての機能と、電子機器用保護ケース１００の開閉状態を検知する手段を構成する部材としての機能との双方を併せ持たせることができる。したがって、電子機器用保護ケース１００とタブレット端末２００とを１つのシステムとしてみた場合の部品点数を削減することができる。またこのため、部品コストの低減、製造工数の低減、及び、装置全体の構成の簡素化を図ることができる。
【００３４】
ところで、例えば、永久磁石を磁力固定用と開閉検出用との用途ごとに別個に用意してそれぞれ配置した場合には、ＭＲ素子２０４が磁力固定用の永久磁石からの磁力線を検出して誤動作を引き起こしてしまう虞がある。この点、第２の実施の形態の電子機器用保護ケース１００及びタブレット端末２００によれば、電子機器用保護ケース１００が閉じた状態の場合に、ＭＲ素子２０４が近傍に位置することになる磁性部品１４４の他端側１４４ｂ付近ではなく、その反対側である一端側１４４ａ付近に永久磁石２０３が位置する構成であるため、上記のような誤動作を引き起こしてしまうことを防止できる。
【００３５】
なお、永久磁石２０３とＭＲ素子２０４の相対位置は、上述した箇所に限られないが、永久磁石２０３の磁力線がＭＲ素子２０４によって直接検出されることを避けられる距離にすることが好ましい。また、永久磁石２０３による吸引力を磁力固定用に最大限利用するためには、永久磁石２０３をヒンジ機構１６０からできるだけ遠い位置とすることが好ましい。この理由については、第１の実施の形態における「永久磁石２３による吸引力を磁力固定用に最大限利用するためには、永久磁石２３をヒンジ機構６０からできるだけ遠い位置とすることが好ましい。」旨の理由と同様であるため、その説明を省略する。
【００３６】
なお、本発明は前述の実施の形態に限定されるものではない。例えば、上述した例では、電子機器として折り畳み式の電子辞書を例示したが、携帯電話等の携帯端末やラジオ、ノートブック型のパーソナルコンピュータ等であっても、同様に適用できるのは勿論である。また、磁石部として永久磁石を例示したが、電磁石であっても良い。
【００３７】
また、磁性体は肉厚方向から見て長方形状とされた板状体としたが、これに限らず、磁性体は、例えば、永久磁石２３、２０３やＭＲ素子２４、２０４と対向する両端付近の面積を一定面積以上確保するとともに、この両端付近を除いた中間部分を磁性体の短手方向に上記両端付近よりも狭くした形状（例えば、両端付近よりも幅を絞り込んだ形状やワイヤ形状など）にしてもよい。この場合、使用者が電子辞書１０や電子機器用保護ケース１００を閉じる際に、磁性体が前述の磁性部品４４、１４４と同等の磁力線を一端側（永久磁石２３、２０３と対向する側）から他端側（ＭＲ素子２４、２０４と対向する側）へと導くことができるだけでなく、磁性体そのものを軽量化、ひいては、電子辞書１０や電子機器用保護ケース１００を軽量化することができる。
【００３８】
また、前述の実施の形態では、磁性部品４４、１４４を板状体としたが、これに限らず、例えば、軟質性のシート状あるいはフィルム状のものであってもよい。この場合、磁性体の設置位置付近に他の部材が配置されていても、磁性体を変形させながら配置することで、磁性体が他の部材と干渉してしまうことを回避することができる。すなわち、磁性体の設置位置付近に他の部材が配置されている場合に、磁性体を設置する際の取り回しが向上する。このため、例えば、電子辞書１０や電子機器用保護ケース１００の内部の設計の自由度を高めることができる。
【００３９】
また、前述の実施の形態では、磁性部品４４、１４４がヒンジ機構６０、１６０の長手方向（軸方向）と交差する方向となるように、第２ケース４０、カバー本体１４１の内部に配置されるものとしたが、これに限らない。磁性部品４４、１４４は、例えば、ヒンジ機構６０、１６０の長手方向に平行となるように、第２ケース４０、カバー本体１４１の内部に配置されてもよい。
【００４０】
これに対応して、磁性部品４４、１４４の一端側４４ａ、１４４ａに対応する永久磁石２３、２０３と、磁性部品４４、１４４の他端側４４ｂ、１４４ｂに対応するＭＲ素子２４、２０４とが、例えば、ヒンジ機構６０、１６０の長手方向に平行な方向に沿って、第１ケース２０、タブレット端末２００に、互いに離間した状態で並んで配置されてもよい。
【００４１】
この他、本発明の要旨を逸脱しない範囲で種々変形実施可能であるのは勿論である。
【００４２】
本発明の一実施形態を説明したが、本発明は特許請求の範囲に記載された発明とその均等の範囲に含まれる。以下に、本願出願の当初の特許請求の範囲に記載された発明を付記する。
［付記１］
一方に表示部を有し、他方に入力部を有する第１ケースおよび第２ケースと、
前記第１ケースに設けられた磁石部と、
前記第１ケースに設けられ、前記第１ケースと前記第２ケースとの閉状態を検出する磁気抵抗素子と、
前記第２ケースに設けられ、前記第１ケースと前記第２ケースとの閉状態において、一端側が前記磁石部の近傍に位置すると共に、他端側が前記磁気抵抗素子の近傍に位置する磁性体とを備える、
電子機器。
［付記２］
前記磁石部と前記磁気抵抗素子とは、前記第１ケースと前記第２ケースとの閉状態とは異なる状態において、前記磁気抵抗素子による前記閉状態の誤検出が行われない距離に離間配置されている、
［付記１］に記載の電子機器。
［付記３］
表示部、磁石部及び磁気抵抗素子を有する電子機器を着脱自在に保持するケースと、
前記ケースに前記電子機器が保持された状態で前記表示部を覆うカバー部材と、
前記カバー部材に設けられ、前記ケースと前記カバー部材の閉状態において、一端側が前記磁石部の近傍に位置すると共に、他端側が前記磁気抵抗素子の近傍に位置する磁性体とを備える、
保護ケース。
［付記４］
保持部を有するケースと、
前記ケースと開閉可能に連結されたカバー部材と、
前記カバー部材に設けられ、前記ケースと前記カバー部材の閉状態において、一端側において外部からの磁力線を入力して、他端側から磁力線を放出し、前記ケースと前記カバー部材の開状態において、一端側において外部からの磁力線を受けない磁性体とを備える、
保護ケース。
［付記５］
表示部を有する電子機器を保持する第１の開閉部材と、前記第１の開閉部材に対して開閉自在に形成され、前記電子機器の表示部を覆うカバーを有する第２の開閉部材との非使用状態を検出可能な収納方法において、
前記第１の開閉部材側に設けられた磁石部を前記第２の開閉部材に設けられた磁性体の一端側に近づけることで、前記磁石部からの磁力によって前記磁性体を磁化し、
前記磁性体の他端側に近づいた前記第１の開閉部材側に設けられた磁気抵抗素子に、前記磁性体の一端側から入力した前記磁石部からの磁力線を作用させて前記第１の開閉部材と前記第２の開閉部材との近接を検出し、
前記磁性体と前記磁石部の一端側との近接により、前記第１の開閉部材と前記第２の開閉部材との磁力固定を行う、
電子機器収納方法。
［付記６］
前記磁石部と前記磁気抵抗素子とは、前記第１の開閉部材と前記第２の開閉部材との閉状態とは異なる状態において、前記磁気抵抗素子による前記閉状態の誤検出が行われない距離に離間配置されている、
［付記５］に記載の電子機器収納方法。
【符号の説明】
【００４３】
１０…電子辞書（電子機器）、２０…第１ケース（第１の開閉部材）、２１…ケース本体、２２…ＬＣＤ表示部（表示部）、２３…永久磁石、２４…ＭＲ素子（磁気抵抗素子）、４０…第２ケース（第２の開閉部材）、４１…ケース本体、４２…キーボード（入力部）、４３…回路基板、４４…磁性部品（磁性体）、４４ａ…一端側、４４ｂ…他端側、６０…ヒンジ機構、１００…電子機器用保護ケース、１２０…ケース、１２１…ケース本体、１２２…係合部、１４０…カバー部材、１４１…カバー本体、１４４…磁性部品、１４４ａ…一端側、１４４ｂ…他端側、１６０…ヒンジ機構、２００…タブレット端末（電子機器）、２０１…ハウジング、２０２…表示部、２０３…永久磁石、２０４…ＭＲ素子（磁気抵抗素子）、２０５…回路基板。
【図１】
2020030784.tif 000003
【図２】
2020030784.tif 000004
【図３】
2020030784.tif 000005
【図４】
2020030784.tif 000006
【図５】
2020030784.tif 000007
【図６】
2020030784.tif 000008
【図７】
2020030784.tif 000009
【図８】
2020030784.tif 000010
【図９】
2020030784.tif 000011
【図１０】
2020030784.tif 000012